(57)【要約】  本発明は、アンテナ素子（１）を含む車両用アンテナグレージングに関する。本発明によれば、アンテナ素子（１）は、２．４１〜２．４８ＧＨｚの周波数で動作するＷＩＦＩアンテナであり、アンテナ素子（１）は、同軸コネクタ（９）に接続される平面放射素子（２）を含む。【選択図】図１
2021529487.tif 000002
【特許請求の範囲】
【請求項１】
アンテナ素子（１）を含む車両用アンテナグレージングにおいて、前記アンテナ素子（１）は、２．４１〜２．４８ＧＨｚの周波数で動作するＷＩＦＩアンテナであり、前記アンテナ素子（１）は、同軸コネクタ（９）に接続される平面放射素子（２）を含むことを特徴とする車両用アンテナグレージング。
【請求項２】
前記アンテナ素子（１）は、２．４１〜２．４８ＧＨｚ及び５．１〜５．８ＧＨｚの周波数で動作するワイドバンド又はマルチバンドＷＩＦＩアンテナ素子であることを特徴とする、請求項１に記載のグレージング。
【請求項３】
前記アンテナ素子（１）は、平面給電構造（３）をさらに含むことを特徴とする、請求項１に記載のグレージング。
【請求項４】
前記平面放射素子（２）は、薄い金属ベースのコーティング、銀の印刷又は細い導電ワイヤの目の細かいメッシュ等の平面導電材料で作られることを特徴とする、請求項１〜３のいずれか一項に記載のグレージング。
【請求項５】
前記平面放射素子（２）は、少なくとも１つの寄生素子（４）をさらに含むことを特徴とする、請求項１〜４のいずれか一項に記載のグレージング。
【請求項６】
前記平面放射素子（２）は、前記導電材料にエッチング加工された少なくとも１つのスロット（５）をさらに含むことを特徴とする、請求項１〜５のいずれか一項に記載のグレージング。
【請求項７】
前記平面放射素子（２）は、電磁結合によって給電されることを特徴とする、請求項１〜６のいずれか一項に記載のグレージング。
【請求項８】
前記グレージングは、積層フロントガラスであることを特徴とする、請求項１〜７のいずれか一項に記載のグレージング。
【請求項９】
前記アンテナ素子（１）は、面２、面３又は面４に与えられることを特徴とする、請求項８に記載のグレージング。
【請求項１０】
前記グレージングは、加熱コーティングフロントガラスであることを特徴とする、請求項１〜９のいずれか一項に記載のグレージング。
【発明の詳細な説明】
【技術分野】
【０００１】
本発明は、車両と、運転者の自宅のレジデンシャルゲートウェイ等のインフラストラクチャとの間のＯＴＡ（オーバージエア）通信のための、車両用グレージング、より詳細には車両のフロントガラスに組み込まれたＷｉＦｉアンテナに関する。例えば、自動車が運転者の自宅の付近に駐車されている場合に、自宅にあるＷｉＦｉアクセスポイントを通して自動ソフトウェアアップデートを自動車に送信することができる。
【背景技術】
【０００２】
ホームゲートウェイに関する自動車の向きは、予知できないため、アンテナ放射パターンは、方位角３６０°にわたってできるだけ均一であるべきである。
【０００３】
また、グレージング、より詳細にはフロントガラスに組み込まれる際、アンテナは、グレージング、より詳細にはフロントガラスの境界線に沿って隠すか、中央のブラケットの背後に隠すか又は見えなくするか若しくは見えにくくして、なるべく運転者の視界に入らないようにすべきである。
【０００４】
車両の外部のＷｉＦｉ通信のために、主に２種類の解決策がある。
【０００５】
第一のものは、車両の内部、典型的にはダッシュボードの背後にある、すでに車内のＷｉＦｉ  ＬＡＮ（ローカルエリアネットワーク）のために使用されているアンテナに基づく。したがって、同じアンテナが内部及び外部のＷｉＦｉカバレージに使用される。この方式の１つの問題は、車内のカバレージの通信状態が優良であり得るものの、車外のカバレージの通信状態が非常に悪いことであり、これは、主にアンテナの位置による。実際には、アンテナと外部媒体との間にあらゆる方向の多くの金属部品がある。
【０００６】
第二の選択肢は、典型的にはバンパ又はサイドミラー中にある外部アンテナを使用することである。この方式の欠点は、同じく車体のマスキング効果である。例えば、バンパ内にあるアンテナは、自動車の前方に正しく放射するが、後方への放射は、金属製の車体により完全に遮蔽され、したがって通信状態が非常に悪い。アンテナをサイドミラーに取り付けることによって良好な前後放射を提供するが、左右軸に沿って非対称性が高く、これも車体のマスキング効果による。例えば、右のサイドミラー中にあるアンテナは、自動車の左側で放射レベルが非常に低い。これは、図１に示されている。この問題を克服するために、ＯＥＭは、典型的に２つのアンテナを利用する。例えば、それぞれのサイドミラーに１つである。これは、実際に優れた技術的解決策であるが、１つではなく２つのアンテナがあるため、非常にコストが高く、それらの信号を追加の電子コンポーネント（ミキサ等）と組み合わせなければならない。したがって、この解決策は、高額な高級車の場合に容認できるが、低価格帯又は中価格帯の車両に当てはまらず、これらのクラスには、１つのアンテナシステムの方がはるかに単純且つ安価であり、したがって好ましい。
【０００７】
したがって、本発明は、ＷｉＦｉアンテナを車両のグレージングに埋め込むことを含む容易な解決策を提案する。この解決策は、技術的にいずれの車両グレージングにも実施可能であるが、アンテナは、好ましくは、フロントガラスに位置付けるべきであり、これは、ＷｉＦｉトランシーバが、通常、ダッシュボードの背後にあるからである。アンテナ構造とこのトランシーバとの間のケーブルの長さが短縮され、これによってＲＦ損失及びコストが限定される。
【０００８】
アンテナをグレージング、より好ましくはフロントガラスに設置することにより、車両の前方において最適なカバレージが確実に得られ、同時に後方へのマスキング効果も限定される。したがって、提案される解決策は、アンテナ放射パターンがどのような形状であるかに応じて、前方又は後方のいずれかにおいて、サイドミラーの２つのアンテナによる解決策と同等以上の性能を提供できる一方、反対方向にも容認可能なレベルの性能が保持される。放射が最も弱い方向において、これは、ダッシュボードアンテナより優れているが、通常、サイドミラーの解決策ほど良好ではないものの、価格がはるかに安い。したがって、フロントガラス内蔵アンテナは、所望の方向への放射を最大にするように設計できる。アンテナ素子を内蔵する先行技術によるフロントガラスでは、放射は、前方及び後方への方向において、既知のサイドミラー筐体内に組み込まれるアンテナと比較してわずかに低い。しかしながら、それは、方位角３６０°にわたってはるかに均一であり、自動車の、アンテナを含むサイドミラーと比べてはるかに良好である。
【発明の概要】
【０００９】
したがって、本発明は、アンテナ素子を含む車両用アンテナグレージングに関する。
【００１０】
本発明によれば、アンテナ素子は、２．４１〜２．４８ＧＨｚで動作するＷＩＦＩ（ＷｉＦｉ）アンテナであり、アンテナ素子は、同軸コネクタに接続される平面放射素子を含む。
【００１１】
本発明によれば、アンテナ素子は、平面給電構造をさらに含む。
【００１２】
本発明によれば、平面放射素子は、平面導電材料で作られることができる。
【００１３】
本発明の好ましい実施形態において、車両用グレージングは、積層グレージングである。より好ましい実施形態において、車両用グレージングは、フロントガラスである。平面放射素子は、Ｐ２とも呼ばれ、すなわちフロントガラスの外側板ガラスの内面である面２、面３（Ｐ３）、すなわちフロントガラスの内側板ガラスの内面又は面４（Ｐ４）、すなわちフロントガラスの内側ガラスの外面のいずれかに与えられることができる。
【００１４】
本発明によれば、グレージングは、自動車の設計に合うような平坦又は湾曲パネルであることができる。窓ガラスは、テンパリング又は積層によって安全性の仕様に適合させることができる。加熱システム、例えば窓ガラス上のコーティング又は網状のワイヤ若しくは銀のプリントを窓ガラスに付着させて、例えばデフロスト機能を追加することができる。また、窓ガラスは、透明ガラスであるか、或いはガラスの特別な組成で又は例えばコーティング若しくはプラスチック層を付着させることによって色付けされたカラーガラスであることができる。
【００１５】
本発明の実施形態によれば、平面放射素子材料は、薄い金属ベースのコーティング、銀のプリント又は細い導電ワイヤの目の細かいメッシュ（メッシュの目が波長と比較して細かい場合、完全な導電面として動作する）であることができる。
【００１６】
放射素子の寸法は、ＷｉＦｉ周波数で効率的に放射するように選択される。好ましくは、単一バンド（２．４ＧＨｚバンド：２．４１〜２．４８ＧＨｚ）であるが、それは、ワイドバンド又はマルチバンド素子（２．４ＧＨｚバンド及び５ＧＨｚバンド：５．１〜５．８ＧＨｚの全部又は一部をカバーする）であることができる。
【００１７】
放射素子の形状及びと寸法は、放射パターンを最適化するように、すなわち車両の外部のカバレージを最適化し、且つ車両周囲の方位角における放射の均一性を最大にするように選択される。
【００１８】
放射素子は、潜在的に、少なくとも１つの寄生素子を含むことができる。その目的は、要求事項に応じて放射パターンを整形することである。
【００１９】
放射素子は、潜在的に、導電材料にエッチング加工される少なくとも１つのスロットを含むことができる。スロットの形状は、製造プロセスに適合する、スロットアンテナで使用されるいずれの通常の形状（長方形、円形、Ｈ字形、Ｕ字型等）であることができる。
【００２０】
本発明によれば、アンテナ素子は、平面給電構造をさらに含む。平面給電構造は、コネクタを放射素子に直接接続できない場合、コネクタから放射素子に高周波（ＲＦ）信号を効率的に搬送するために使用できる。給電構造は、マイクロストリップライン又はコプレーナ導波路等、いずれのＲＦ伝送線であることができる。給電構造は、任意選択のインピーダンス変換器又は位相シフト構造を含むこともできる。
【００２１】
給電構造は、グレージング構造の、放射素子と同じ面又は他の面に位置付けることができる。給電構造が放射素子と別の面に与えられる場合、給電構造と放射素子との間に電気的接触がない。したがって、放射素子は、電磁カップリングによって給電される。
【００２２】
本発明によれば、アンテナ素子は、同軸ケーブルコネクタ、より詳細には同軸コネクタに接続され、これは、トランシーバの同軸出力から放射素子又はその給電構造への移行部を形成するために使用される。このコネクタは、自動車用ガラスアンテナに関する典型的な機械的要求事項（牽引抵抗等）を満たすべきである。同軸ケーブルにより、アンテナ素子を電源システムに接続することができる。同軸ケーブルは、平面コネクタにさらに接続されることができ、これらは、積層できる。
【００２３】
フロントガラスに位置付けることにより、アンテナは、運転者の視野の障害とならない。
【００２４】
アンテナシステムは、したがって、好ましくはフロントガラスの縁に沿って、典型的には内側から見えないか又はほとんど見えないようにＡピラー又は中央ブラケットに沿って車内プラスチックカバーの背後に隠されて設置されるべきである。
【００２５】
また、それは、好ましくは、それが外側から見えないか又はほとんど見えないように、古典的に非審美的な要素を隠すために使用される黒いセラミックの背後に位置付けられるべきである。
【００２６】
アンテナシステム又はアンテナシステムの一部は、それが見えないか又はほとんど見えないのであれば、他のいずれの場所にも位置付けることができる。例えば、アンテナ素子は、透明な又はほとんど透明な材料（コーティング、きわめて細い埋込ワイヤの目の細かいメッシュ等）で作られる。
【００２７】
本発明の他の利点並びに適当な達成形態及び発展形態は、特許請求の範囲及び下記の図面に関する実施形態の説明で明らかとなる。
【図面の簡単な説明】
【００２８】
【図１】本発明の具体的な実施形態の実施例である。
【図２】本発明の具体的な実施形態の実施例である。
【図３】本発明の具体的な実施形態の実施例である。
【図４】本発明の具体的な実施形態の実施例である。
【図５】本発明の具体的な実施形態の実施例である。
【発明を実施するための形態】
【００２９】
疑義の発生を防止するために、「外部」及び「内部」という用語は、車両へのグレージングとしての取付け中のグレージングの向きを指す。
【００３０】
同じく疑義の発生を防止するために、本発明は、自動車、列車、飛行機等、あらゆる交通手段に応用できる。
【００３１】
簡潔にするために、以下の説明におけるガラスシートの番号は、従来、グレージングに使用される番号付け規則を指す。したがって、グレージングの、車両の外の環境と接触する面は、面１と呼ばれ、中間媒体、すなわち車室と接触する表面は、面２と呼ばれる。積層グレージングの場合、車両の外部環境と接触するガラスシートは、面１として知られ、車内部分、すなわち車室と接触する面は、面４と呼ばれる。
【００３２】
図１ａ及び１ｂは、本発明の実施形態を表す。アンテナ素子１は、単一バンドのコプレーナ導波路（ＣＰＷ）給電平面モノポール３である。放射素子２は、例えば、薄いモノポールで製作される（金属蒸着膜又は細いワイヤであることができる）。給電構造３は、ＣＰＷ構造である。
【００３３】
アンテナ素子１は、積層グレージング、より詳細にはフロントガラスで実装されることができる。グレージングは、例えば、外側ガラスシートについて厚さ２．１ｍｍ及び内側ガラスシートについて厚さ１．６ｍｍの２枚のガラスシートを含むことができる。これらは、例えば、ポリビニルブチラール製の０．７６ｍｍ熱可塑性シートにより結合される。本発明によれば、アンテナ素子１は、運転者の視野の外、より詳細には隠された領域内に与えられる。
【００３４】
同軸ケーブル用コネクタ９は、同軸ケーブル１０と給電構造との間の移行部を形成するために使用される。
【００３５】
この特定の場合、アンテナ構造１は、好ましくは、Ｐ４とも呼ばれる面４に位置付けるべきである。これは、コネクタ９がその厚さにより積層不能である（厚すぎる）からである。コネクタ９は、したがって、車内のプラスチックカバー（Ａピラー又は中央のブラケット）の背後に隠されるべきである。
【００３６】
図２に示される本発明の他の実施形態によれば、寄生素子４を有する平坦ＣＰＷ給電モノポール３が使用されることができる。少なくとも１つの寄生素子４は、利用の要求事項に応じて放射パターンを整形するために、主要放射素子１の付近に追加することができる。この少なくとも１つの寄生素子４は、主要放射素子２から電気的に絶縁されている（それに接続されていない）。少なくとも１つの寄生素子４は、導電材料で作られ、これは、主要放射素子２と同じタイプ又は異なるタイプであることができる。それは、グレージング構造の、主要素子と同じ層又は他の層に位置付けることができる。
【００３７】
図３に示される本発明の他の実施形態によれば、アレイ状の２つの放射素子２が使用され、異なる位相でそれに給電し、アレイ状素子間の距離を操作することにより、放射パターンを整形する可能性を有効にする。
【００３８】
例えば、図１に示されているものと同様に２つのモノポールを含むアレイを使用できる。この実施形態において、アレイ状素子は、マイクロストリップ伝送線、ＣＰＷ  ３又はいずれかの平面伝送線若しくは導波路を通して給電されることができる。給電構造の分枝の１つは、素子間の相対的給電位相を調整するための位相シフト分枝６を含むことができる。給電構造は、放射素子の入力インピーダンスを給電線のインピーダンス７と整合させるためのインピーダンス変換器（例えば、４分の１波長整合器）も含むことができる。
【００３９】
図４に示されるような本発明の他の実施形態によれば、スロットアンテナ５が使用されることができる。この例において、放射素子は、導電材料８（ガラス上に堆積されるか又は細いワイヤの高密度メッシュである）で作られ、その中にスロットがエッチング加工される。スロット５は、主要放射源又はインピーダンス調整素子のいずれかとして使用できる。１つ目の場合、スロット５は、好ましくは、グレージング構造の他の層中にある給電構造からの電磁結合によって励起させることができる。例えば、スロット式放射素子は、Ｐ２又はＰ３に位置付けることができる一方、給電構造は、Ｐ４に位置付けられ、給電同軸ケーブルからの移行部を形成するコネクタに接続される。
【００４０】
図５に示される本発明の他の実施形態によれば、ＰＩＦＡ（逆Ｆ型アンテナ）又は八木アンテナが使用されることができる。ＰＩＦＡアンテナ１が使用されることができ、放射素子は、導電材料８で作られることができる。放射素子２は、コネクタ９及び同軸給電線１０を通して電源システムに接続される。
【００４１】
したがって、アンテナ素子１は、典型的に、積層グレージングの面４に位置付け、コネクタを直接はんだ付けすることによって励起させることができる。しかしながら、それを面２又は面３に組み込んで、電磁結合により励起させることもできる。
【００４２】
本発明の実施形態によれば、コネクタ、センサ等の審美的でない素子のすべてを覆い隠すために一般的に使用される黒色エナメルが面２に与えられることができる。エナメル又はいずれかのマスキングバンドが面２、及び／又は面３、及び／又は面４に与えられることができることを理解されたい。
【００４３】
この実施形態は、フロントガラス、すなわち積層グレージングに関するものであるが、これは、サイドウィンドウ、バックウィンドウ等の１枚の窓ガラスに製作されたグレージングにも当てはめることができる。
【００４４】
本発明によるアンテナ素子２は、加熱コーティンググレージング又は加熱ワイヤグレージングのような加熱グレージングに適合する。いずれのグレージングも今日一般的に使用されているが、これらは、アンテナ素子の効率の障害となり得る。
【図１】
2021529487.tif 000003
【図２】
2021529487.tif 000004
【図３】
2021529487.tif 000005
【図４】
2021529487.tif 000006
【図５】
2021529487.tif 000007
【国際調査報告】
2021529487.tif 000008
2021529487.tif 000009
2021529487.tif 000010